(57)【特許請求の範囲】
【請求項１】
使用者の足、好ましくはスポーツ用靴をはいた足にスポーツ用具を連結するための、任意に緊締および解除が可能な連結具であって、前記スポーツ用具に直接もしくはベースプレートを介して間接的に取り付けられ、好ましくはベルトの形をした甲部材と、横軸のまわり揺動可能な踵部材とを有し、これらの部材は、反対に動くことにより、足を解放する位置から足を固定する位置へそしてまたこの逆についても同様にこれらの部材が移動するように互いに連結されている連結具において、
前記甲部材（１０、３０）の少なくとも１つの連結端が、クランピングレバー（６、１９、２９）の相互連結により前記スポーツ用具上または前記ベースプレート（１、２１）上に保持されていること、前記クランピングレバー（６、１９、２６）に、前記クランピングレバー（６、１９、２９）を前記踵部材（３、２３）に連結する連結リンク（７、１８、２７）が連結され、この連結点（８、２６）が、一方では前記クランピングレバー（６、１９、２６）から構成されるとともに他方では前記連結リンク（７、１８、２７）および前記踵部材（３、２３）から構成される傾斜レバーのトグルジョイントを形成していること、および、前記傾斜レバーには、前記甲部材（１０、３０）と前記踵部材（３、２３）を各々の限界位置に固定するとともに前記傾斜レバーの伸長位置（Ａ、Ｂ）に到達するまでの位置変化に抗するばね（１３、３３）が作用することを特徴とする連結具。
【請求項２】
前記甲部材（１０、３０）は、足の各側部上に、各々のクランピングレバー（６、１９、２６）によってその２つの連結端で保持されており、前記２つのクランピングレバーは、各々の連結リンク（７、１８、２７）、両側で互いに同軸の４リンク機構の前記相応するジョイント（４、５、８、９、２４、２５、２８、２９）によって前記踵部材（３、２３）に連結されている請求項１記載の連結具。
【請求項３】
少なくとも１つの連結リンク（７、１８、２７）が、前記踵部材（３、２３）上にあるその連結点（９、２９）を越えて延びており、この部分（１２、３２）に前記ばね（１３、３３）が作用するようになっている請求項１または２記載の連結具。
【請求項４】
前記傾斜レバーの前記トグルジョイント（８）が、その伸長位置（Ａ）で、他の２つのジョイント（４、５）の前に位置している請求項１〜３のいずれか１項に記載の連結具。
【請求項５】
前記傾斜レバーの前記トグルジョイント（２８）が、その伸長位置（Ｂ）で、他の２つのジョイント（２４、２５）の間に位置している請求項１〜３のいずれか１項に記載の連結具。
【請求項６】
前記踵部材（３、２３）がステップ板（１５、３５）を有している請求項１〜５のいずれか１項に記載の連結具。
【請求項７】
前記ステップ板（１５、３５）が、前記踵部材（３、２３）に対して動くことができるように保持されている請求項６記載の連結具。
【請求項８】
前記クランピングレバー（６）が、前記連結リンク（７）の前記連結点（８）を越えて延びており、この部分が、取っ手用連結部材を形成している請求項１〜７のいずれか１項に記載の連結具。
【請求項９】
前記連結リンク（１８）が前記クランピングレバー（１９）の前記連結点（８）を越えて延びており、この部分が、取っ手用連結部材を形成している請求項１〜７のいずれか１項に記載の連結具。
【請求項１０】
前記取っ手として、つかみベルトまたはこれと類似のものを備える請求項８または９記載の連結具。
【請求項１１】
前記２つの連結リンク（７、１８、２７）が、前記踵部材（３、２３）の外側周囲に当たるＵ字または開いたＯ字（１２、３２）を形成するように一体化されている請求項２〜１０のいずれか１項に記載の連結具。
【請求項１２】
前記ばね（１３）が、前記連結リンクのウエブ部分に作用する請求項１１記載の連結具。
【請求項１３】
前記ばねが引っ張りばね（１３）であり、前記連結リンク（１２）の前記ウエブ部分の上方で前記踵部材（３）に係止されている請求項４または１２に記載の連結具。
【請求項１４】
前記連結リンク（１２）の前記ウエブ部分が、その外側に開放用取っ手（１４）を備えている請求項１１〜１３のいずれか１項に記載の連結具。
【請求項１５】
前記ばねが、前記連結リンク（２７）の前記延びた部分に下方へ向けて負荷をかける引っ張りばねである請求項５記載の連結具。
【請求項１６】
前記引っ張りばね（３３）が、前記踵部材（２３）の軸（２４）に係止されている請求項１５記載の連結具。
【請求項１７】
前記連結リンク（３２）の前記ウエブ部分が、取っ手として、該ウエブ部分のまわりに案内されたケーブルまたはベルト（３８）を備えており、該ケーブルまたはベルト（３８）の一端は、前記踵部材（２３）の上方の外側領域に取り付けられ、そして該ケーブルまたはベルト（３８）の他方の自由端は、前記踵部材（２３）上の通し孔（３９）を通って上方に延びている請求項５または１１に記載の連結具。
【請求項１８】
前記取っ手（３８）の前記自由端に指掛け用ループ（４０）が備えられいる請求項１７記載の連結具。
【請求項１９】
前記取っ手の前記自由端が、つかみベルトとして構成されている請求項１７記載の連結具。
【発明の詳細な説明】
【０００１】
【発明の属する技術分野】
本発明は、使用者の足、好ましくはスポーツ用靴をはいた足にスポーツ用具を連結するための、任意に緊締および解放が可能な連結具、すなわち、スポーツ用具に直接もしくはベースプレートを介して間接的に取り付けられ、好ましくはベルトの形をした甲部材と、横軸のまわりを揺動可能な踵部材とを有しており、これらの部材は、反対に動くことにより、足を解放する位置から足を固定する位置へそしてまたこの逆についても同様にこれらの部材が移動するように互いに連結されている連結具に関する。
【０００２】
【従来の技術】
この種の連結具が、例えばドイツ特許公開公報第１９６ ４２ ８８７号に開示されている。これらの連結具は、ローラースケート、アイススケート、スノーボード、滑降スキー、水上スキーなどのような多数のスポーツ用具に用いられている。これらの連結具の多くでは、踵部材はその揺動心軸を越えて下方へ延びており、甲部材はこの延長部分に隣接している。前述の公報は、少なくとも１つの方向転換ローラによって案内されるケーブルによって甲部材と踵部材が連結された連結具も開示している。しかし、これらの構成は、ケーブルによっては圧縮力を伝達できないため、この２つの部材の必然的で同時の反対方向の動きが、緊締位置へ向かう方向でしか可能にならないため、実用化されていない。
【０００３】
【発明が解決しようとする課題】
この踵部材には、連結具の緊締位置を固定するための留め具が備えられている。まずこの第１のものとしては、この留め具は、使用者の下肢部に巻き付けて案内される従来の締め付けバックルに関するものである。他の構成では、スポーツ用具と踵部材との間の傾斜レバーとして用いられるものであり、この傾斜レバーは、延びて中央死点位置を越えた後、踵部材をただ挟むことによってのみこの緊締位置の固定を行うようになっている。
【０００４】
この第１の留め具は不便であり、この第２のものは安全性に欠ける。このことは、実際、現時点に至るまで開示されていない。
【０００５】
したがって、本発明の目的は、スポーツ用具に足を固定することについて緊締および解放が迅速かつ簡単にでき、そしてまた、使用中に不用意に解放されることが確実に防止できる一般的な種類の連結具を提供することにある。
【０００６】
【課題を解決するための手段】
本発明によれば、この目的は、甲部材の少なくとも１つの連結端が、クランピングレバーの相互連結によりスポーツ用具上またはベースプレート上に保持されていること、このクランピングレバーに前記クランピングレバーを踵部材に連結する連結リンクが連結されていること、この連結点が、一方ではクランピングレバーから構成されるとともに他方では連結リンクおよび踵部材から構成される傾斜レバーのトグルジョイントを形成していること、この傾斜レバーには、甲部材と踵部材を各々の限界位置に固定するとともに傾斜レバーの伸長位置に到達するまでの位置変化に抗するばねが作用することによって達成できる。
【０００７】
この連結の緊締および開放は、踵部材をこの下方脚部分へ、またはこの下方脚部分から離れるように適宜揺動させることによって簡単な方法で行われる。下方脚部分から離れるような不用意な不用意な揺動が起こることは、ばねの抵抗により実質的に不可能となっている。
【０００８】
足または靴を良好に位置決めし保持するためには、足の各々の側部に、各々のクランピングレバーによって甲部材をその２つの連結端で保持し、これと同時に、各連結リンク、両側で互いに同軸的に置かれている４リンク機構の相応するジョイントにより、この２つのクランピングレバーを踵部材に連結することが有効である。
【０００９】
少なくとも１つの連結リンクが、踵部材上にあるその連結点を越えて延び、この部分にばねが作用するのが好ましい。
【００１０】
本発明の第１の実施態様では、傾斜レバーのトグルジョイントは、その伸長位置で、他の２つのジョイントの前に位置しているが、第２の実施態様では、この伸長位置において、トグルジョイントが他の２つのジョイントの間に位置している。
【００１１】
本発明のさらに他の目的は、スポーツ用具の装着を容易にするため、足または靴を入れる際に本連結具が自動的に緊締を行うようにすることである。この目的のために、踵部材は緊締位置から出発して連結リンクの連結部分の下方に位置するステップ板を備えている。この考え方を構造上改善したものとして、ステップ板を、踵部材に対して動くことができるように保持してもよい。これにより、ステップ板を比較的広い表面積を有する構造とすることができる。
【００１２】
第１の実施態様の利点は、クランピングレバーまたは連結リンクのいずれかを、これらを連結しているジョイントを越えて前方に延長することができるということであり、そしてまた、この延長部分を取っ手用の連結部材として構成することができることである。この場合、取っ手としてはつかみベルトまたはこれと類似のものを用いることができる。このつかみベルトを引くことにより、ばね力に打ち勝って傾斜レバーが延び、その結果固定位置から開放位置へ本連結具の位置が変化するようになる。締め付けバックルを用いないことの利点については、本明細書で詳細に示す。
【００１３】
本発明の発展態様では、２つの連結リンクは、踵部材の外側周囲に当たるＵ字または開いたＯ字を形成するように一体化されている。ここでは、連結リンクのウエブ部分をばねの設置点として用いてもよい。
【００１４】
上述の第１の実施態様に関しては、この場合、このばねを、連結リンクのウエブ部分の上方で踵部材に係止された引っ張りばねとすることができる。
【００１５】
さらにこの実施態様については、連結リンクのウエブ部分の外側に取っ手を備えることができ、この取っ手は、押されることによりばね力に抗して連結リンクを揺動させ、そしてこれにより本連結具の意図的な開放を行えるようにする。この開放に関するオプションは、不自然な姿勢となるときには特に有利である。
【００１６】
上述の第２の実施態様では、このばねは、連結リンクの延長部に下方へ向けて負荷をかける場合、同じく引っ張りばねとすることができる。この場合、引っ張りばねは、踵部材の側部にある軸に係止するようにすることが好ましい。
【００１７】
この実施態様の構造上の他の発展例では、取っ手として、連結リンクのウエブ部分に、このウエブ部分に巻かれて案内されたケーブルまたはベルトを備えるようにしており、このケーブルまたはベルトの一端は、踵部材の上方の外側領域に取り付けられ、そしてこのケーブルまたはベルトの他方の自由端は、踵部材上の通し孔を通って上方に延びている。これにより、開放用の力は小さく望ましいものとなる。
【００１８】
この取っ手の自由端には指掛け用ループを備えるようにしてもよく、または、この自由端をつかみベルトとして構成してもよい。
【００１９】
【発明の実施の形態】
次に、本発明の実施形態について図面を参照して説明する。
【００２０】
本発明による連結具は、例として示すこの構成においては、一点鎖線で示す比較的柔らかいスノーボード靴をスノーボードに連結するためのものであり、この連結は、公知の手法でスノーボードに固定することが可能で靴底を側面で案内するために直立した鏡像対称な側部フランジ２、２２を有するベースプレート１、２１を介して、間接的に行われるようになっている。
【００２１】
図１〜図４に示す構成では、踵部材３が、ベースプレート１の側部フランジ２上に軸４によって揺動可能に取り付けられている。公知、したがってここでは詳細について説明しない方法においては、踵部材３は、スノーボード靴の端を把握し保持するために、これに相応した凹形の形状となっている。側部フランジ２には２つのクランピングレバー６が、それらがそれぞれ軸５によって互いに同軸的に揺動可能となるように取り付けられており、クランピングレバー６はヒンジにより連結リンク７を介して踵部材３に連結されている。８は、クランピングレバー６上における連結リンク７の連結点を示し、踵部材３に対するこの連結リンク７の連結点は参照番号９で示されている。
【００２２】
ベルト形状をした甲部材１０が、軸１１によってその２つの端をそれぞれクランピングレバー６に揺動可能に連結されている。軸１１を適切に配置することにより、踵部材３の動きが甲部材１０の反対の動きにつながるような効果が得られる。
【００２３】
２つの連結リンク７が、その連結点９を越えて長く延び一体化されて、踵部材３の外側を把握する馬蹄形部１２を形成している。蹄形部１２の端には引っ張りばね１３の一端が作用しており、この引っ張りばね１３の他端は踵部材３の自由端の近傍に取り付けられている。蹄形部１２上にはさらに引っ張りばね１３の取付け具の下方に解放用取っ手１４が配置されている。
【００２４】
本発明の本質的な特徴によると、さらに、踵部材３における２つの前方下縁の間にステップ板１５がさらに備えられている。ステップ板１５は、２つの軸１６によって踵部材３に連結されている。
【００２５】
図１では投影面にあるクランピングレバー６は、連結リンク７の連結点８を越えて延長されている。この延長された部分は、取っ手用連結部材としての働きをする。この目的のために、例えばつかみベルト（図示せず）を案内して通すことが可能な長孔１７がクランピングレバー６に備えられている。
【００２６】
図４は、本連結具の、特に側部フランジ２、クランピングレバー６、連結リンク７の各部品（前述の図における部材と同一の部材である）が、スノーボード靴の各側にどのように配置されているかについて示している。
【００２７】
図１では、本連結具は、靴の出し入れが可能な解放状態で示されている。靴底の前縁（一点鎖線で輪郭を示す）はベースプレート１上にかかっているが、靴底の踵部分はステップ板１５上に載った状態となっている。靴が下方へ踏み込まれると、踵部材３は反時計回り（図面において）に揺動し、その結果として連結リンク７とクランピングレバー６もまた揺動する。甲部材１０は、このクランピングレバー６によって靴に向かって引かれる。踵部材３に対する、連結リンク７の相対運動、およびこれによる馬蹄形部１２の相対運動は、図２に示すような位置となるまで引っ張りばね１３を引張る。では、甲部材１０は、この下にある部材をより見やすくするために、実線で描かれていない。
【００２８】
図２に示す位置にあっては、一方ではクランピングレバー６から形成されるとともに他方では連結リンク７および踵部材３から構成される傾斜レバーは、その伸長位置すなわち中央死点位置にある。このことは、トグルジョイントを構成する連結点８が、直線の連結線Ａの延長部における軸４と軸５の間にあるということを意味している。引っ張りばね１３はこの点に到達するまで伸ばされる。
【００２９】
図３に示す緊締位置のこのユニットのさらなる動きは、引っ張りばね１３の力によって支援される。このことは、靴をその末端位置まで持っていくことを可能にするとともに、さらに引っ張られた状態となっている甲部材１０と踵部材３との間に保持されることを可能にする。引っ張りばね１３は、スポーツ用具が使用されている間、例えばバックルを締めるような特別な操作を必要とすることなくこの状態が維持されることを確実なものにする。
【００３０】
本連結具は、２つの方法により開放することができる。まず、長孔１７に通されて案内されこのようにしてクランピングレバー６に連結される例えばつかみベルトのような取っ手（図示せず）の助けを借りて行うことができる。つかみベルトを引くことは、踵部材３、クランピングレバー６、連結リンク７、甲部材１０からなるユニットを、図３に示す位置から図１に示す位置へ移動させる。図２に示す位置に至るまでの動きの最初の部分は、引っ張りばね１３の力に抗して行われ、一方この動きの後の部分は、引っ張りばね１３の力に助けられて行われる。
【００３１】
本連結具を開放するための第２の方法は、馬蹄形部１２の端にある開放用取っ手１４に圧力をかけることにより行われる。開放の手順自体は上述の手順と一致する。
【００３２】
図５に係る本連結具の構成は、図１〜図４に示した構成とは少しだけ異なっている。この理由により、同一の部材には同じ参照番号を用いている。開放用取っ手の位置のみ取付けが移動されている。この場合、連結点８を越えて長く延長されているのは、クランピングレバー１９よりも連結リンク１８である。この延長部分には、例えばつかみベルト用の、もしくは他の適宜な引っ張り式部材用の長孔１７が同じく形成されている。
【００３３】
図６〜図８に係る本連結具は、前述した構成の場合のように、基台として、参照番号２１で示されるベースプレートを有し、側部フランジ２２を有している。この側部フランジ２２には、踵部材２３が、軸２４のまわりを揺動できるように取り付けられているとともに、各々のクランピングレバー２６が、各々の場合において軸２５のまわりを揺動できるように取り付けられている。クランピングレバー２６を踵部材２３にヒンジで連結することは、同じく連結点２８、２９において連結リンク２７で行われる。甲部材３０が、各々の場合において同じくその端部が軸３１によって揺動可能にクランピングレバー２６に連結されている。
【００３４】
同様に、本例では、両連結リンク２７は同じくその連結点２９を越えて延びており、そして馬蹄形部３２を形成するため一体化されている。引っ張りばね３３は、この２つの延長部の各々に接続されることが好ましく、そしてまた、その他端は軸２４に係止されることが好ましい。馬蹄形部３２のウエブは、このウエブの上方で十分な距離をおいて踵部材２３にその内側端が取り付けられているようなベルト３８を、このウエブに巻かれて案内された状態で備えている。ベルト３８の自由端は、踵部材２３上にある通し孔３９を通して上方へ案内されて、指掛けループ４０として構成されている（図７および図８を参照のこと）。
【００３５】
本例でも図１〜図５に係る構成と同様にして、ステップ板３５が、軸３６によって踵部材２３の前方下縁に同じく連結されている。この連結によって、ステップ板３５が、パターン付き靴底が踏み面に噛み合ってしまうおそれを実質的に無くすような広い表面積を有する構成とすることを可能になる。
【００３６】
図６では、ステップ板３５を介して靴が下方に踏み込まれると、踵部材２３は靴に向かって揺動させられる。同時に、この運動関係により、甲部材３０が同様に靴に向かって引張られる。しかし、最初の構成とは反対に、この例ではクランピングレバー２６がその軸２５のまわりを時計回り（図面について）に揺動するようになっている。引っ張りばね３３は、図７に示す位置に到達するまで引っ張られる。
【００３７】
図７に示す位置では、同じく一方ではクランピングレバー２６から構成され、他方では踵部材２３および連結リンク２７から構成される傾斜レバーは、直線の連結線Ｂ上におけるトグルジョイントを構成する連結点２８が軸２４と軸２５の間にあるようなその伸長位置、すなわち中央死点位置に位置している。
【００３８】
最初の構成からわかるように、図８における緊締位置へのさらなる動きは、引っ張りばね３３の力によって助けられ、この引っ張りばね３３は、この後、本連結具を緊締位置にしっかりと固定する。
【００３９】
本連結具を開放するには、ベルト３８を上方へ特に引っ張りばね３３の力に抗して、図７の位置に達するまで上方に引くだけでよい。引っ張りばね３３は、中央死点位置を過ぎた後、移動可能なこのユニットを、スノーボードから靴を持ち上げることができるような図６に示す位置まで引っ張る。本連結具は、再び靴を入れることができる状態になる。
【図面の簡単な説明】
【図１】本発明の第１の実施形態の連結具を開放状態で示す側面図である。
【図２】図１の連結具を、傾斜レバーが伸長した瞬間の状態について示す側面図である。
【図３】図１および図２の連結具を緊締状態で示す側面図である。
【図４】図３の平面図である。
【図５】図２についてわずかに構成を変更した本発明第２の実施形態の連結具を示す側面図である。
【図６】図１に対応する第３の実施形態を示す側面図である。
【図７】図２に対応する第３の実施形態を示す側面図である。
【図８】図３に対応する第３の実施形態を示す側面図である。
【符号の説明】
1,21           ベースプレート
2,22           側部フランジ
3,23           踵部材
4,5,11,16,24,25,31  軸
6,19,26        クランピングレバー
7,18,27        連結リンク
8,9,26,28,29   連結点
10,30          甲部材
12,32          延長部（馬蹄形部）
13,33          ばね（引っ張りばね）
15,35          ステップ板
17             長孔
38             ベルト
39             通し孔
40             指掛けループ
A              伸長位置（直線状接続線）
B              伸長位置（直線状接続線）
【図１】
0004058537.tif 000002
【図２】
0004058537.tif 000003
【図３】
0004058537.tif 000004
【図４】
0004058537.tif 000005
【図５】
0004058537.tif 000006
【図６】
0004058537.tif 000007
【図７】
0004058537.tif 000008
【図８】
0004058537.tif 000009